(57)【要約】【課題】  冗長構成である装置等において、当該冗長構成をとっているにも関わらず、稼働系から待機系へ切り替える切替手段や信号の出力経路の障害のために、当該切り替えが実行できない可能性があり、信頼性に欠けるという問題がある。【解決手段】  本発明の監視制御装置は、通信装置を制御する第１及び第２の監視制御手段を備え、前記第１の監視制御手段は、所定の条件に基づいて、前記第２の監視制御手段に前記通信装置の制御の実行を要求し、前記第２の監視制御手段は、前記要求に応じて前記通信装置の制御を実行した場合に発生した障害を検知し、前記検知した障害に関する情報を前記第１の監視制御手段へ通知することを特徴とする。【選択図】      図１
2015065548.tif 000002
【特許請求の範囲】
【請求項１】
通信装置を制御する第１及び第２の監視制御手段を備え、
前記第１の監視制御手段は、所定の条件に基づいて、前記第２の監視制御手段に前記通信装置の制御の実行を要求し、
前記第２の監視制御手段は、前記要求に応じて前記通信装置の制御を実行した場合に発生した障害を検知し、前記検知した障害に関する情報を前記第１の監視制御手段へ通知すること
を特徴とする監視制御装置。
【請求項２】
前記所定の条件は、所定の時間が経過したこと、又は、前記第２の監視制御手段への切り替えを要求されたこと、であることを特徴とする請求項１に記載の監視制御装置。
【請求項３】
前記第１の監視制御手段は、前記第１の監視制御手段と接続するネットワークを介して前記信号を受信し、前記受信した信号に基づいて前記通信装置の制御を実行することを特徴とする請求項１又は２に記載の監視制御装置。
【請求項４】
前記第１の監視制御手段は、前記第１又は第２の監視制御手段と、前記通信装置との間の接続を切り替える切替手段に対して、前記所定の条件に基づいて、前記通信装置と前記第２の監視制御手段とが接続するように切り替えることを要求する
を特徴とする請求項１乃至３のいずれかに記載の監視制御装置。
【請求項５】
前記第１及び第２の監視制御手段は、複数の前記通信装置を制御し、
前記第１の監視制御手段は、前記所定の条件に基づいて、前記第２の監視制御手段に前記複数の通信装置の少なくとも１つの制御を実行させることを特徴とする請求項１乃至４のいずれかに記載の監視制御装置。
【請求項６】
前記第１の監視制御手段は、制御に用いる信号を受信可能なインターフェースを備え、
前記第１の監視制御手段は、前記制御に用いる信号を、前記第２の監視制御手段に転送すること
を特徴とする請求項１乃至５のいずれかに記載の監視制御装置。
【請求項７】
通信装置を制御する第１及び第２の監視制御手段を含み、
前記第１の監視制御手段は、所定の条件に基づいて、前記第２の監視制御手段に前記通信装置の制御の実行を要求し、
前記第２の監視制御手段は、前記要求に応じて前記通信装置の制御を実行した場合に発生した障害を検知し、前記検知した障害に関する情報を前記第１の監視制御手段へ通知すること
を特徴とする監視制御システム。
【請求項８】
前記所定の条件は、所定の時間が経過したこと、又は、前記第２の監視制御手段への切り替えを要求されたこと、であることを特徴とする請求項７に記載の監視制御システム。
【請求項９】
前記第１の監視制御手段は、前記第１又は第２の監視制御手段と、前記通信装置との間の接続を切り替える切替手段に対して、前記所定の条件に基づいて、前記通信装置と前記第２の監視制御手段とが接続するように切り替えることを要求する
を特徴とする請求項７又は８に記載の監視制御システム。
【請求項１０】
前記第１の監視制御手段は、制御に用いる信号を受信可能なインターフェースを備え、
前記第１の監視制御手段は、前記制御に用いる信号を、前記第２の監視制御手段に転送すること
を特徴とする請求項１乃至９のいずれかに記載の監視制御システム。
【請求項１１】
通信装置の制御を実行する第１の監視制御手段において、所定の条件に基づいて、第２の監視制御手段に前記通信装置の制御の実行を要求し、
前記第２の監視制御手段において、前記通信装置の制御を実行した場合に発生した障害を検知し、前記検知した障害に関する情報を前記第１の監視制御手段へ通知すること
を特徴とする監視制御方法。
【請求項１２】
前記所定の条件は、所定の時間が経過したこと、又は、前記第２の監視制御手段への切り替えを要求されたこと、であることを特徴とする請求項１１に記載の監視制御方法。
【請求項１３】
前記第１の監視制御手段において、前記第１又は第２の監視制御手段と、前記通信装置との間の接続を切り替える切替手段に対して、前記所定の条件に基づいて、前記通信装置と前記第２の監視制御手段とが接続するように切り替えることを要求する
ことを特徴とする請求項１１又は１２に記載の監視制御方法。
【請求項１４】
制御に用いる信号を受信可能なインターフェースを備える前記第１の監視制御手段において、前記制御に用いる信号を、前記第２の監視制御手段に転送することを特徴とする請求項１１乃至１３のいずれかに記載の監視制御方法。
【請求項１５】
通信装置の制御を実行する第１の監視制御手段において、所定の条件に基づいて、第２の監視制御手段に前記通信装置の制御の実行を要求する処理と、
前記第２の監視制御手段において、前記通信装置の制御を実行した場合に発生した障害を検知し、前記検知した障害に関する情報を前記第１の監視制御手段へ通知する処理と
をコンピュータに実行させることを特徴とするプログラム。
【請求項１６】
前記所定の条件は、所定の時間が経過したこと、又は、前記第２の監視制御手段への切り替えを要求されたこと、であることを特徴とする請求項１５に記載のプログラム。
【請求項１７】
前記第１の監視制御手段において、前記第１又は第２の監視制御手段と、前記通信装置との間の接続を切り替える切替手段に対して、前記所定の条件に基づいて、前記通信装置と前記第２の監視制御手段とが接続するように切り替えることを要求する処理を含むことを特徴とする請求項１５又は１６に記載のプログラム。
【請求項１８】
制御に用いる信号を受信可能なインターフェースを備える前記第１の監視制御手段において、前記制御に用いる信号を、前記第２の監視制御手段に転送する処理を含むことを特徴とする請求項１５乃至１７のいずれかに記載のプログラム。
【発明の詳細な説明】
【技術分野】
【０００１】
本発明は、監視制御装置、監視制御システム、監視制御方法及びプログラムに関する。
【背景技術】
【０００２】
通信システムにおいて、通信装置等を冗長構成とすることにより、障害発生時に短時間で当該通信装置等が提供するサービスを復旧させる技術が知られている。
【０００３】
特許文献１は、分散系制御システムにおいて、アナログ量とデジタル量との変換を行うＩＯ（Ｉｎｐｕｔ／Ｏｕｔｐｕｔ）モジュールを二重化する技術を開示する。特許文献１に記載の分散系制御システムにおいて、二重化されたＩＯモジュールは、一方を稼働側、もう一方を待機側とし、双方がプロセスに接続される。プロセスからの入力信号は、稼働側のＩＯモジュールと待機側のＩＯモジュールの双方へ入力されるが、プロセスへの出力信号は稼働側のＩＯモジュールのみが行うことにより、当該システムとして１つの出力信号をプロセスへ出力する。特許文献１において、入力信号は双方へ入力されるため、待機側のＩＯモジュールは、稼働側のＩＯモジュールと同じ出力データを作成することができる。したがって、稼働側のＩＯモジュールに故障が生じた場合、稼働側のＩＯモジュールと待機側のＩＯモジュールとでデータの移動や同期等を行うことなく、直ちに、待機側のＩＯモジュールに切り替えることが可能となる。
【先行技術文献】
【特許文献】
【０００４】
【特許文献１】特開２０００−２０７３７３号公報
【発明の概要】
【発明が解決しようとする課題】
【０００５】
上述したように、特許文献１に記載の分散系制御システムにおいて、待機側のＩＯモジュールはプロセスに対して出力を行わないので、当該待機側のＩＯモジュールと当該プロセルとの間のＩＯバスに障害（断線等）が生じていたとしても、そのＩＯバスの障害（断線等）を検知できない。ここで、当該ＩＯバスが障害していると、待機側のＩＯモジュールは、出力データ（信号）を出力できないため、稼働側のＩＯモジュールに故障が生じたとしても、当該稼働側のＩＯモジュールが実行していた処理を継続することができない。すなわち、特許文献１に記載の分散系制御システムは、冗長構成をとっているにも関わらず、信号の出力経路に生じている障害のために、切り替えの必要性が生じたときに切り替えが実行できない可能性があり、信頼性に欠けるという問題がある。
【０００６】
本発明の目的は、冗長構成である装置等において、稼働系から待機系へ切り替える切替手段や信号の出力経路に生じている障害のために、当該切り替えができないことを防止し、切り替えの信頼性を担保することができる装置等を提供することである。
【課題を解決するための手段】
【０００７】
本発明の監視制御装置は、通信装置を制御する第１及び第２の監視制御手段を備え、前記第１の監視制御手段は、所定の条件に基づいて、前記第２の監視制御手段に前記通信装置の制御の実行を要求し、前記第２の監視制御手段は、前記要求に応じて前記通信装置の制御を実行した場合に発生した障害を検知し、前記検知した障害に関する情報を前記第１の監視制御手段へ通知することを特徴とする。
【０００８】
本発明の監視制御システムは、通信装置を制御する第１及び第２の監視制御手段を含み、前記第１の監視制御手段は、所定の条件に基づいて、前記第２の監視制御手段に前記通信装置の制御の実行を要求し、前記第２の監視制御手段は、前記要求に応じて前記通信装置の制御を実行した場合に発生した障害を検知し、前記検知した障害に関する情報を前記第１の監視制御手段へ通知することを特徴とする。
【０００９】
本発明の監視制御方法は、通信装置の制御を実行する第１の監視制御手段において、所定の条件に基づいて、第２の監視制御手段に前記通信装置の制御の実行を要求し、前記第２の監視制御手段において、前記通信装置の制御を実行した場合に発生した障害を検知し、前記検知した障害に関する情報を前記第１の監視制御手段へ通知することを特徴とする。
【００１０】
本発明のプログラムは、通信装置の制御を実行する第１の監視制御手段において、所定の条件に基づいて、第２の監視制御手段に前記通信装置の制御の実行を要求する処理と、前記第２の監視制御手段において、前記通信装置の制御を実行した場合に発生した障害を検知し、前記検知した障害に関する情報を前記第１の監視制御手段へ通知する処理とをコンピュータに実行させることを特徴とする。
【発明の効果】
【００１１】
本発明は、冗長構成である装置等において、稼働系から待機系へ切り替える切替手段や信号の出力経路に生じている障害のために、当該切り替えができないことを防止し、切り替えの信頼性を担保することができる。
【図面の簡単な説明】
【００１２】
【図１】本発明の一実施形態における監視制御システムの例を示す図である。
【図２】本発明の一実施形態における監視制御装置の動作例を示すフローチャートである。
【図３】本発明の第１の実施形態における監視制御システムの例を示す図である。
【図４】本発明の第１の実施形態における監視制御装置の構成例を示す図である。
【図５】本発明の第１の実施形態における第１の監視制御装置の動作例を示すフローチャートである。
【図６】本発明の第１の実施形態における第２の監視制御装置の動作例を示すフローチャートである。
【図７】本発明の第２の実施形態における監視制御システムの例を示す図である。
【図８】本発明の第３の実施形態における監視制御システムの例を示す図である。
【図９】本発明の第３の実施形態における切替装置の構成例を示す図である。
【図１０】本発明の第３の実施形態における監視制御システムの他の例を示す図である。
【図１１】本発明の第３の実施形態における第１の監視制御装置の動作例を示すフローチャートである。
【図１２】本発明の第３の実施形態における第２の監視制御装置の動作例を示すフローチャートである。
【図１３】本発明の第４の実施形態における監視制御システムの例を示す図である。
【図１４】本発明の第５の実施形態における監視制御システムの例を示す図である。
【図１５】本発明の第６の実施形態における監視制御システムの例を示す図である。
【図１６】本発明の第６の実施形態における監視制御システムの他の例を示す図である。
【図１７】本発明の第７の実施形態における監視制御システムの例を示す図である。
【図１８】本発明の第７の実施形態における監視制御システムの他の例を示す図である。
【発明を実施するための形態】
【００１３】
はじめに、図１を用いて、本発明の一実施形態の概要について説明する。なお、この概要に付記した図面参照符号は、理解を助けるための一例として各要素に便宜上付記したものであり、この概要の記載はなんらの限定を意図するものではない。
【００１４】
図１は、本発明の一実施形態における、監視制御システムの構成例を示す図である。
【００１５】
本発明の一実施形態における監視制御システムは、図１に示すように、監視制御装置１と通信装置２とを含む。
【００１６】
監視制御装置１は、図１に示すように、第１の監視制御手段１０−１と、第２の監視制御手段１０−２とを含む。なお、監視制御装置１に含まれる監視制御手段は２つに限られず、いくつであってもよい。
【００１７】
監視制御装置１は、通信装置２を制御する。監視制御装置１は、ユーザー端末（図１には図示していない）から通信装置２に対する設定要求の通知を受け、当該要求を通信装置２に転送する。また、監視制御装置１は、通信装置２の動作状況を監視する。監視制御装置１は、通信装置２において障害が発生したことに応じて、当該障害の発生をユーザー端末に通知する。
【００１８】
本発明の一実施形態の監視制御装置１は、第１の監視制御手段１０−１を運用系、第２の監視制御手段１０−２を予備系とすることにより、監視制御装置１を冗長構成とする。そのため、当該監視制御装置１は、第１の監視制御手段１０−１に障害が生じた場合に、通信装置２の制御を第２の監視制御手段１０−２に切り替えて実行することが可能となる。
【００１９】
本発明の一実施形態において、第１の監視制御手段１０−１は、所定の条件に基づいて、第２の監視制御手段に通信装置２の制御の実行を要求する。
【００２０】
本発明の一実施形態において、第２の監視制御手段１０−２は、第１の監視制御手段１０−１からの通信装置２の制御の実行要求に応じて、通信装置２の制御を開始する。第２の監視制御手段１０−２は、通信装置２の制御において障害が発生した場合に、当該発生した障害に関する情報を、第１の監視制御手段１０−１に通知する。
【００２１】
通信装置２は、データを送受信する装置である。通信装置２は、監視制御装置１を介して通信に関する設定の要求を受け、自装置の設定を行う。また、通信装置２は、監視制御装置１を介して通信に関する設定の変更の要求を受け、自装置の設定の変更を行う。
【００２２】
図２は、本発明の一実施形態における監視制御装置１の動作例を示すフローチャートである。
【００２３】
第１の監視制御手段１０−１が、所定の条件に基づいて、第２の監視制御手段に前記通信装置の制御の実行を要求する（Ｓ１０１）。
【００２４】
第２の監視制御手段１０−２が、前記通信装置の制御を実行した場合に発生した障害を検知する（Ｓ１０２）。
【００２５】
第２の監視制御手段１０−２が、前記検知した障害に関する情報を前記第１の監視制御手段へ通知する（Ｓ１０３）。
【００２６】
上記のとおり、本発明の一実施形態では、第２の監視制御手段１０−２が実際に通信装置２の制御を実行するので、第２の監視制御手段１０−２と通信装置２との接続部における障害も検知することができる。また、本発明の一実施形態の監視制御システムは、第２の監視制御手段１０−２が通信装置２の制御を実行して障害を検知するので、検査用の特別な処理を行うことなく、当該障害を検知することができる。
【００２７】
以下、具体的な実施の形態について、図面を参照して説明する。
【００２８】
＜第１の実施形態＞
図３は、本発明の第１の実施形態における監視制御システムの構成例を示す図である。
【００２９】
図３に示すとおり、本発明の第１の実施形態における監視制御システムは、監視制御装置１と、通信装置２と、ユーザー端末３とを含む。また、当該監視制御システムは、監視制御装置１と通信装置２とを接続する通信バス４を含む。
【００３０】
監視制御装置１は、第１の監視制御手段１０−１と、第２の監視制御手段１０−２とを接続する監視経路１１を含む。
【００３１】
本発明の第１の実施形態の監視制御システムは、第１の監視制御手段１０−１を運用系、第２の監視制御手段１０−２を予備系とすることにより、監視制御装置１を冗長構成とする。本発明の第１の実施形態において、第１の監視制御手段１０−１と第２の監視制御手段１０−２とは、監視経路１１を用いて互いに運用状態を監視する。
【００３２】
図４は、本発明の第１の実施形態における監視制御手段１０の構成例を示す図である。図３における第１の監視制御手段１０−１及び第２の監視制御手段１０−２は、監視制御手段１０と同等の構成を有する。
【００３３】
図４に示すように、監視制御手段１０は、第１の入出力部１２と、第２の入出力部１３と、障害監視部１４と、制御部１５とを備える。
【００３４】
第１の入出力部１２は、ユーザー端末３からの通信装置２に対する設定要求の通知を受ける。通信装置２に対する設定要求は、通信に用いるポートの設定（指定）など、通信装置２における通信に関する設定である。また、第１の入出力部１２は、通信端末２で発生した障害を、ユーザー端末３へ通知する。
【００３５】
第２の入出力部１３は、通信装置２に対して、通信バス４を介して、ユーザー端末３からの設定要求を通知する。また、第２の入出力部１３は、通信装置２から、通信バス４を介して、当該通信装置２で発生した障害の通知を受ける。
【００３６】
障害監視部１４は、監視制御手段１０において発生した障害を検知する。障害監視部１４は、障害を検知したことに応じて、当該障害を制御部１５に通知する。
【００３７】
第１の監視制御手段１０−１の制御部１５は、所定の条件に基づいて、第２の監視制御手段１０−２に対して通信装置２の制御を実行することを要求する情報を出力する。
【００３８】
所定の条件は、所定の周期である。当該所定の周期は、監視制御装置１０が故障する間隔に基づいて設定する。また、当該所定の周期は、任意に設定する。
【００３９】
また、当該所定の条件は、ユーザー端末からの要求である。
【００４０】
第１の監視制御手段１０−１の制御部１５は、第２の監視制御手段１０−２に対して通信装置２の制御を実行することを要求する情報を出力する前に、監視経路１１を用いて、第２の監視制御手段１０−２の故障の有無を確認する。この場合、第１の監視制御手段１０−１の制御部１５は、第２の監視制御手段１０−２に故障が無い旨の通知に応じて、第２の監視制御手段１０−２に対して通信装置２の制御を実行することを要求する情報を出力する。なお、第１の監視制御手段１０−１の制御部１５が監視経路１１を介して確認できるのは、第２の監視制御手段１０−２の内部で発生している所定の故障であり、第２の監視制御手段１０−２自身が検知可能な故障である。
第１の監視制御手段１０−１の制御部１５は、第２の監視制御手段１０−２から障害がある旨の通知を受けた場合、それを第１の入出力部１２を介してユーザー端末３に通知する。
第１の監視制御手段１０−１の制御部１５は、第２の監視制御手段１０−２から障害がある旨の通知を受けていないことに基づいて、第２の監視制御手段１０−２に対して通信装置２の制御を実行することを要求する情報を出力する。
【００４１】
第２の監視制御手段１０−２の制御部１５は、第１の監視制御手段１０−１からの通信装置２の制御を実行することを要求する情報に応じて、通信装置２の制御を実行する。
第２の監視制御手段１０−２の制御部１５は、通信装置２の制御を実行した場合に障害を検知した場合、監視経路１１を介して、第１の監視制御手段へ通知する。
第２の監視制御手段１０−２の制御部１５は、通信装置２と第２の監視制御手段１０−２との間の通信バス４−２に障害が生じていることを検出し、当該検出した障害を、監視経路１１を介して第１の監視制御手段へ通知する。なお、通信バス４−２は、シェルフ内バックプレーンで接続される１０／１００ＢＡＳＥ−Ｔ配線である。第２の監視制御手段１０−２の制御部１５は、、通信装置２に設定要求を通知できないことに応じて、当該通信装置２と第２の監視制御手段１０−２との間の通信バス４−２に障害が発生していると判断し、当該障害を通知する。
【００４２】
また、第２の監視制御手段１０−２の制御部１５は、ユーザー端末３と第２の監視制御手段１０−２との間の通信経路に障害が生じていることを検出し、当該検出した障害を、監視経路１１を介して第１の監視制御手段へ通知する。
【００４３】
また、第２の監視制御手段１０−２の制御部１５は、ユーザー端末３から通信に関する設定の要求を受信できないことに応じて、当該ユーザー端末３と第２の監視制御手段１０−２との間の通信箇所に障害が発生していることを通知する。
【００４４】
なお、第２の監視制御手段１０−２の制御部１５が通知する障害は、これらの例に限られず、前記通信装置の制御を実行した場合に発生した障害であれば、どのような障害であってもよい。
【００４５】
また、第２の監視制御手段１０−２の制御部１５は、通信装置２の制御を実行した場合に発生した障害を、第１の監視制御手段１０−１への通知とは別に、第１の入出力部１２を介して、ユーザー端末３に通知する。
【００４６】
本発明の第１の実施形態では、第２の監視制御手段１０−２が、実際に通信装置２の制御を実行した場合に発生した障害を通知するので、通信装置２との接続部や、ユーザー端末３との接続部における障害についても、検出することができる。
【００４７】
第２の監視制御手段１０−２は、通信装置２の制御を実行した際に障害を検知しなかった場合、当該通信装置２の制御の実行をそのまま継続する。この場合、監視制御システムにおいて、第２の監視制御手段１０−２が運用系となり、第１の監視制御手段１０−１が予備系となる。なお、第２の監視制御手段１０−２が運用系となった後、上記と同等の手段により、再度第１の監視制御手段１０−１を運用系に戻してもよい。
【００４８】
第１の監視制御手段１０−１の制御部１５は、実際に通信装置２の制御を実行した第２の監視制御手段１０−２から障害がある旨の通知を受けた場合、当該障害に関する情報を、ユーザー端末３に対して通知する。
【００４９】
第１の監視制御手段１０−１は、実際に通信装置２の制御を実行した第２の監視制御手段１０−２から障害がある旨の通知を受けた場合、通信装置２の制御の実行を再度開始する。この際、第２の監視制御手段１０−２は、通信装置２の制御の実行を停止する。なお、第２の監視制御手段１０−２の要求により、第１の監視制御手段１０−１が通信装置２の制御の実行を再度開始してもよい。
【００５０】
本発明の第１の通信装置２は、波長分割多重（ＷＤＭ：Ｗａｖｅｌｅｎｇｔｈ  Ｄｉｖｉｓｉｏｎ  Ｍｕｌｔｉｐｌｅｘ）通信等、光信号を伝送する装置である。また、通信装置２は、データを送信又は受信する装置であり、パケットを送信又は受信するスイッチやルータである。
【００５１】
通信装置２は、ユーザー端末３から、監視制御装置１を介して、通信に関する設定の要求を受け、自装置の通信に関する設定を更新する。通信装置２は、ユーザー端末３から信号の送受信に用いるポートの変更の要求を受け、当該要求に基づいて、当該信号を送受信するポートを変更する。通信装置２は、ユーザー端末３から信号の送受信に用いる波長の変更の要求を受け、当該要求に基づいて、当該信号の送受信に用いる波長を変更する。なお、通信端末２がユーザー端末３から受ける通信に関する設定は、これらの例に限られず、どのような設定であってもよい。
【００５２】
ユーザー端末３は、通信装置２に対して、通信に関する設定を要求する装置である。ユーザー端末３は、通信装置２に対して、信号の送受信に用いるポートの変更や、信号の送受信に用いる波長の変更の要求を行う。また、ユーザー端末３は、通信装置２に障害が生じた場合に、当該障害の通知を受ける装置である。
【００５３】
ユーザー端末３は、監視制御システムの管理者が用いる装置である。ユーザー端末３は、当該管理者が入力した通信に関する設定を、監視制御装置１に通知する。ユーザー端末３は、監視制御システムの管理者がアスキー言語などを用いて入力した通信に関する設定を解析し、監視制御装置１が処理可能な情報に変換して、当該監視制御装置１に通知する。
【００５４】
また、ユーザー端末３は、監視制御装置１から、通信装置２に発生した障害の通知を受け、監視制御システムの管理者等に通知する。ユーザー端末３は、監視制御装置１から通知された障害に関する情報を解析し、監視制御システムの管理者が理解できる情報に変換して、通知する（表示する）。
【００５５】
図５は、本発明の第１の実施形態における、第１の監視制御手段１０−１の動作例を示すフローチャートである。
【００５６】
第１の監視制御手段１０−１は、所定の条件に基づいて、第２の監視制御手段１０−２に通信装置２の制御の実行を要求する（Ｓ２０１）。
【００５７】
第１の監視制御手段１０−１は、第２の監視制御手段１０−２に障害がある旨の通知を受けたことに応じて（Ｓ２０２のＹＥＳ）、当該障害に関する情報をユーザー端末３に対して通知する（Ｓ２０３）。また、第１の監視制御手段１０−１は、第２の監視制御手段１０−２から通信装置２の制御の実行を切り戻されたことに応じて、当該通信装置２の制御を実行する（Ｓ２０４）。
【００５８】
一方、第１の監視制御手段１０−１は、第２の監視制御手段１０−２に障害が無い旨の通知に応じて（Ｓ２０２のＮＯ）、処理を終了する。
【００５９】
図６は、本発明の第１の実施形態における、第２の監視制御手段１０−２の動作例を示すフローチャートである。
【００６０】
第２の監視制御手段１０−２は、通信装置２の制御の実行の要求を受けたことに応じて（Ｓ３０１）、当該通信装置２の制御を開始する（Ｓ３０２）。
【００６１】
第２の監視制御手段１０−２は、通信装置２の制御を実行した場合に障害が発生したことに応じて（Ｓ３０３のＹＥＳ）、を第１の監視制御手段１０−１に障害がある旨を通知する（Ｓ３０４）。その後、第２の監視制御手段１０−２は、通信装置２の制御を、第１の監視制御手段１０−１に切り戻す（Ｓ３０５）。
【００６２】
一方、第２の監視制御手段１０−２は、通信装置２の制御を実行した場合に障害が無いことに応じて（Ｓ３０３のＮＯ）、第１の監視制御手段１０−１に障害が無い旨を通知する（Ｓ３０６）。
【００６３】
上記のとおり、第２の監視制御手段１０−２が実際に通信装置２の制御を実行するので、第２の監視制御手段１０−２と通信装置２との接続部や、第２の監視制御手段１０−２とユーザー端末３との接続部における障害も検知することができる。
【００６４】
＜第２の実施形態＞
本発明の第２の実施形態について、図面を参照して説明する。
【００６５】
本発明の第２の実施形態では、第２の監視制御手段１０−２は、ユーザー端末３からの通信装置２に対する設定要求の通知を、第１の監視制御手段１０−１及び監視経路１１を介して受け取る。また、第２の監視制御手段１０−２は、通信装置２で発生した障害の情報を、監視経路１１及び第１の監視制御手段１０−１を介して、ユーザー端末３に通知する。したがって、ユーザー端末３は、第２の監視制御手段１０−２と物理的に接続しなくとも、第１の監視制御手段１０−１と接続するだけで、当該第２の監視制御手段１０−２との間で、通信装置２に対する設定要求の通知、及び、障害の情報の受け取りを行うことができる。
【００６６】
図７は、本発明の第２の実施形態における、監視制御システムの構成例を示す図である。図７に示すように、本発明の第２の実施形態において、ユーザー端末３は、第１の監視制御手段１０−１と接続する。
【００６７】
ユーザー端末３は、通信装置２に対する設定要求を、第１の監視制御手段１０−１に通知する。通信端末２に対する設定要求を受け取った第１の監視制御手段１０−１は、通信装置２の制御を第２の監視制御手段１０−２が実行していることに応じて、当該設定要求を、監視経路１１を介して当該第２の監視制御手段１０−２に通知する。第２の監視制御手段１０−２は、第１の監視制御手段１０−１から受け取った通信装置２に対する設定要求を、当該通信装置２に通知する。
【００６８】
第２の監視制御手段１０−２は、通信装置２から通知された障害の情報を、監視経路１１を介して、第１の監視制御手段１０−１に通知する。当該障害の情報の通知を受けた第１の監視制御手段１０−１は、当該障害の情報を、ユーザー端末３に通知する。
【００６９】
上記のとおり、ユーザー端末３は、第２の監視制御手段１０−２と物理的に接続しなくとも、当該第２の監視制御手段１０−２との間で、通信装置２に対する設定要求の通知、及び、通信装置２の障害の情報の受け取りを実行することが可能となる。
【００７０】
＜第３の実施形態＞
本発明の第３の実施形態について、図面を参照して説明する。
【００７１】
本発明の第３の実施形態の監視制御システムは、第１の監視制御手段１０−１からの通信バス４−１と、第２の監視制御手段１０−２からの通信バス４−２とを切り替える切替装置（切替手段）を備える。第１の監視制御手段１０−１及び第２の監視制御手段１０−２のそれぞれは、通信バス４−１及び４−２を介して通信装置２と接続する。なお、以下では、第１の監視制御手段１０−１が運用系である場合を例として、説明する。
【００７２】
図８は、本発明の第３の実施形態における、監視制御システムの構成例を示す図である。
【００７３】
図８に示すように、本発明の第３の実施形態において、監視制御システムは、切替装置５と、制御経路３０とを含む。
【００７４】
切替装置５は、第１の監視制御手段１０−１又は第２の監視制御手段１０−２からの要求に応じて、通信バス４−１又は通信バス４−２の一方を接続し、他方を遮断する。
【００７５】
また、切替装置５は、ユーザー端末３からの要求に応じて、通信バス４−１又は通信バス４−２の一方を接続し、他方を遮断する。切替装置５は、制御経路３０を介して、ユーザー端末３から当該要求を受ける。第１の監視制御手段１０−１又は第２の監視制御手段１０−２は、通信装置２との間で通信できなくなったことに応じて、自装置が予備系であると判断する。一方、第１の監視制御手段１０−１又は第２の監視制御手段１０−２は、通信装置２との間で通信できることに応じて、自装置が運用系と判断し、通信装置２の監視制御を継続する。
【００７６】
図９は、本発明の第３の実施形態における、切替装置５の構成例を示す図である。切替装置５は、切替制御部５０と、切替部５１とを備える。
【００７７】
切替制御部５０は、第１の監視制御装置１から、通信装置２と接続する通信バス４を、通信バス４−１から通信バス４−２へ変更することを要求する情報を受け取る。切替制御部５０は、受け取った当該情報に基づいて、切替部５１に対して、接続する通信バス４の切り替えを指示する。
【００７８】
また、切替制御部５０は、監視制御手段１０の一方に障害が発生した際に、当該障害の通知を受けてもよい。この場合、切替制御部５０は、当該障害の通知を受けたことに応じて、障害が発生した監視制御手段１０の通信バス４を遮断し、他の監視制御手段１０の通信バス４を接続するように、切替部５１に指示する。
【００７９】
切替部５１は、切替制御部５０からの指示に基づいて、接続する通信パス５を切り替える。
【００８０】
本発明の第３の実施形態において、第１の監視制御手段１０−１は、所定の条件に基づいて、切替装置５に対して、接続する通信バス４を通信バス４−１から通信バス４−２に切り替えることを要求する。所定の条件は、例えば、所定の周期である。
【００８１】
図１０は、本発明の第３の実施形態における、監視制御システムの他の構成例を示す図である。図１０に示すように、本発明の第３の実施形態における監視制御システムの他の構成例では、通信装置２が、切替手段を備える。そのため、通信装置２が、第１の監視制御手段１０−１と第２の監視制御手段１０−２との切り替えを実行することができる。
【００８２】
図１０に示すように、通信装置２は、切替手段２０と、通信手段２１とを備える。
【００８３】
切替手段２０は、本発明の第３の実施形態における切替装置５と同様の機能を有し、第１の監視制御手段１０−１又は第２の監視制御手段１０−２からの要求に応じて、通信バス４−１又は通信バス４−２の一方を接続し、他方を遮断する。
【００８４】
図１１は、本発明の第３の実施形態における、第１の監視制御手段１０−１の動作例を示すフローチャートである。
【００８５】
第１の監視制御手段１０−１は、所定の条件に基づいて、切替装置５（切替手段２０）に対して、通信バス４の切り替えを要求する（Ｓ４０１）。
【００８６】
第１の監視制御手段１０−１は、第２の監視制御手段１０−２から障害がある旨の通知を受けたことに応じて（Ｓ４０２のＹＥＳ）、当該障害に関する情報をユーザー端末３に対して通知する（Ｓ４０３）。その後、第２の監視制御手段１０−２が切替装置５（切替手段２０）に対して通信バス４の切り替えを要求し、当該通信バス４が切り替えられたことに応じて、第１の監視制御手段１０−１は、通信端末２の制御を実行する（Ｓ４０４）。
【００８７】
一方、第１の監視制御手段１０−１は、第２の監視制御手段１０−２から障害が無い旨の通知を受けた場合（Ｓ４０２のＮＯ）、処理を終了する。
【００８８】
図１２は、本発明の第３の実施形態における、第２の監視制御手段１０−２の動作例を示すフローチャートである。
【００８９】
第２の監視制御手段１０−２は、第１の監視制御手段１０−１の要求により切替装置５（切替手段２０）が通信バス４を切り替えたことに応じて（Ｓ５０１）、通信装置２の制御を開始する（Ｓ５０２）。
【００９０】
第２の監視制御手段１０−２は、通信装置２の制御を実行した場合に障害が発生したことに応じて（Ｓ５０３のＹＥＳ）、障害がある旨を第１の監視制御手段１０−１に通知する（Ｓ５０４）。その後、第２の監視制御手段１０−２は、切替装置５（切替手段２０）に対して、通信バス４の切り替えを要求する（Ｓ５０５）。
【００９１】
一方、第２の監視制御手段１０−２は、通信装置２の制御を実行した場合に障害が発生しないことに応じて（Ｓ５０３のＮＯ）、障害が無い旨を第１の監視制御手段１０−１に通知する（Ｓ５０６）。
【００９２】
上述したように、本発明の第３の実施形態では、切替装置（切替手段）の動作によって、通信装置２の制御を実行する監視制御装置１を切り替えることができる。
【００９３】
＜第４の実施形態＞
本発明の第４の実施形態について、図面を参照して説明する。
【００９４】
本発明の第４の実施形態は、通信装置２が、ＷＤＭ方式の伝送装置である場合の実施形態である。
【００９５】
図１３は、本発明の第４の実施形態における、監視制御システムの構成例を示す図である。図１３に示すように、本発明の第４の実施形態の監視制御システムは、監視制御装置１と、ユーザー端末３と、光増幅装置６と、光分岐多重装置７と、トランスポンダ８とを含む。
【００９６】
監視制御システムは、シェルフと呼ばれる筐体に、カードと呼ばれる実装基板を装着して実現できる。この場合、監視制御装置１、光増幅装置６、光分岐多重装置７及びトランスポンダ８の機能を実現する実装基板をシェルフに装着する。なお、シェルフには、複数のカードを装着することができ、トランスポンダ８の機能を実現する実装基板を複数装着することもできる。
【００９７】
監視制御装置１は、複数の装置（すなわち、光増幅装置６、光分岐多重装置７及びトランスポンダ８）のそれぞれの制御を実行する。
【００９８】
光増幅装置６は、、エルビウムドープトファイバー増幅器６０（ＥＤＦＡ：Ｅｒｂｉｕｍ  Ｄｏｐｅｄ  Ｆｉｂｅｒ  Ａｍｐｌｉｆｉｅｒ）を備える。当該増幅器６０−１は、光分岐多重装置７から受信した光信号を増幅する。また、当該増幅器６０−２は、受信した信号を増幅して、光分岐多重装置７に出力する。
【００９９】
光分岐多重装置７は、図１３に示すように、アレイ導波路回折格子（ＡＷＧ：Ａｒｒａｙｅｄ  Ｗａｖｅｇｕｉｄｅ  Ｇｒａｔｉｎｇ）７０−１と、複数のポート（ＣＨ１〜ＣＨ３）を備える。光分岐多重装置７は、複数のポート（ＣＨ１〜ＣＨ３）から出力された光信号をＡＷＧ７０−１により合波し、ＡＷＧ７０−２により波長多重された光信号を複数の光信号に分波し、分派した信号のそれぞれを複数のポート（ＣＨ１〜ＣＨ３）に出力する。
【０１００】
トランスポンダ８−１は、受信した信号を複数の信号に分離して、光分岐多重装置７に出力する。また、トランスポンダ８−２は、光分岐多重装置７から出力された複数の信号を１つの信号に合成する。
【０１０１】
ユーザー端末３が、ＣＨ１において波長λ１の信号を伝送し、ＣＨ３において波長λ２の信号を伝送するという設定を要求した場合、その設定要求は、監視制御装置１を介して、光分岐多重装置７とトランスポンダ８とに通知される。光分岐多重装置７とトランスポンダ８は、ユーザー端末３から要求された設定に基づいて、ＣＨ１において波長λ１の信号を伝送し、ＣＨ３において波長λ２の信号を伝送する。
【０１０２】
本発明の第４の実施形態において、第１の監視制御手段１０−１は、所定の条件に応じて、第２の監視制御手段１０−２に、光増幅装置６、光分岐多重装置７及びトランスポンダ８の制御の実行を要求する。
【０１０３】
第１の監視制御手段１０−１は、所定の条件に応じて、第２の監視制御手段１０−２に、光増幅装置６、光分岐多重装置７及びトランスポンダ８の一部の装置の制御の実行を要求してもよい。
【０１０４】
第２の監視制御手段１０−２は、光増幅装置６、光分岐多重装置７及びトランスポンダ８の制御を実行した場合に障害が発生したことに応じて、監視経路１１を介して、第１の監視制御手段１０−１へ障害がある旨を通知する。
【０１０５】
また、第２の監視制御手段１０−２は、光増幅装置６、光分岐多重装置７及びトランスポンダ８の制御を実行した場合に発生した障害を、第１の監視制御手段１０−１への通知とは別に、ユーザー端末３に通知する。
【０１０６】
上記のとおり、第２の監視制御手段１０−２が、実際に光増幅装置６、光分岐多重装置７及びトランスポンダ８の制御を実行した場合に障害が発生したことに応じて、障害がある旨を通知する。したがって、光増幅装置６、光分岐多重装置７及びトランスポンダ８と、第２の監視制御手段１０−２との間の接続部における障害を検知することができる。
【０１０７】
＜第５の実施形態＞
本発明の第５の実施形態について、図面を参照して説明する。
【０１０８】
本発明の第５の実施形態は、通信装置２が、パケットを転送するルータやスイッチである場合の実施形態である。
【０１０９】
図１４は、本発明の第５の実施形態における、監視制御システムの構成例を示す図である。図１４に示すように、本発明の第５の実施形態の監視制御システムは、監視制御装置１と、ユーザー端末３と、複数のスイッチ９とを含む。
【０１１０】
本発明の第５の実施形態において、監視制御装置１は、複数のスイッチ９のそれぞれの制御を実行する。監視制御装置１は、ユーザー端末３から通信に関する設定の要求を受け取り、当該複数のスイッチ９のそれぞれに対して当該要求を通知する。監視制御装置１は、ユーザー端末３から通信に関する設定の要求を受け取り、複数のスイッチ９のそれぞれに必要な設定を解析し、当該複数のスイッチ９のそれぞれに対して、当該スイッチ９に応じた設定を要求する。
【０１１１】
図１４に示すように、スイッチ９は、パケットの転送に関する規則を記憶する記憶部９０を有し、受信したパケットに含まれるアドレスに応じた規則に基づいて、当該受信したパケットを転送する。
【０１１２】
本発明の第５の実施形態において、ユーザー端末３は、スイッチ９のそれぞれに対して、パケットの転送に関する設定を要求する。ユーザー端末３が要求した設定は、監視制御装置１を介して、複数のスイッチ９のそれぞれに通知される。
【０１１３】
例えば、複数のスイッチ９のそれぞれは、ユーザー端末３から要求された設定に基づいて、アドレスＡ１宛のパケットを、スイッチ９−２を介して転送するための設定を行う。スイッチ９−１は、ユーザー端末３からの要求に応じて、当該アドレスＡ１宛のパケットをスイッチ９−２に対して転送するための規則を、記憶部９０−１に記憶する。また、スイッチ９−２は、ユーザー端末３からの要求に応じて、当該アドレスＡ１宛のパケットをスイッチ９−３に対して転送するための規則を、記憶部９０−２に記憶する。
【０１１４】
本発明の第５の実施形態において、第１の監視制御手段１０−１は、所定の条件に応じて、第２の監視制御手段１０−２に、複数のスイッチ９の制御の実行を要求する。
【０１１５】
なお、本発明の第５の実施形態において、第１の監視制御手段１０−１は、所定の条件に応じて、第２の監視制御手段１０−２に、複数のスイッチ９の一部のスイッチ９の制御の実行を要求してもよい。この場合、第１の監視制御手段１０−１は、切り替えなかったスイッチ９について、当該スイッチ９の制御の実行を継続する。
【０１１６】
本発明の第５の実施形態において、第２の監視制御手段１０−２は、複数のスイッチ９の制御を実行した場合に障害が発生したことに応じて、監視経路１１を介して、第１の監視制御手段１０−１へ障害がある旨を通知する。
【０１１７】
また、第２の監視制御手段１０−２は、複数のスイッチ９の制御を実行した場合に障害が発生したことに応じて、第１の監視制御手段１０−１への通知とは別に、ユーザー端末３に障害がある旨を通知する。
【０１１８】
上記のとおり、第２の監視制御手段１０−２が、実際に複数のスイッチ９の制御を実行した場合に障害が発生したことに応じて、障害がある旨を通知するので、複数のスイッチ９と第２の監視制御手段１０−２との間の接続部における障害も検知することができる。
【０１１９】
＜第６の実施形態＞
本発明の第６の実施形態について、図面を参照して説明する。
【０１２０】
本発明の第６の実施形態は、複数の監視制御装置１が、階層的に接続している場合の実施形態である。階層的に接続しているので、ユーザー端末３は、上位に位置する監視制御装置１と接続することにより、複数の監視制御装置１に対して設定要求を通知することができる。また、ユーザー端末３は、上位に位置する監視制御装置１と接続することにより、監視制御システム内の複数の通信装置２から、障害の通知を受けることができる。
【０１２１】
図１５は、本発明の第６の実施形態における、監視制御システムの構成例を示す図である。図１５に示すように、当該監視制御システムは、監視制御装置１−１を頂点（上位）として、監視制御装置１−２及び１−３を中位、監視制御装置１−４〜１−７を下位とする階層構造である。なお、図１５は、監視制御装置１が３層構造の例を示しているが、監視制御装置１は３層に限られない。また、図１５は、１つの監視制御装置１に接続する下位の監視制御装置１が２つの場合の例を示しているが、下位の監視制御装置１は２つに限られず、いくつであってもよい。
【０１２２】
複数の監視制御装置１のそれぞれは、図１５に示すように、第１の監視制御手段１０−１と、第２の監視制御手段１０−２を含み、監視制御装置１が冗長化されている。また、複数の監視制御装置１のそれぞれは、通信装置２の制御を実行する。
【０１２３】
ユーザー端末３は、頂点（上位）の監視制御装置１−１に接続する。ユーザー端末３は、監視制御システムに含まれる複数の通信装置２に対して、通信に関する設定の要求を通知する。ユーザー端末３は、複数の通信装置２のそれぞれを一意に識別する識別子を、当該要求に含める。
【０１２４】
ユーザー端末３から通信装置２に対する設定要求を受けとった監視制御装置１は、いずれの通信装置２に対する設定要求かを判別し、判別した通信装置２に接続している監視制御装置１まで、通信路１００を介して当該設定要求を転送する。監視制御装置１は、設定要求に含まれる通信装置２の識別子に基づいて、識別子に対応する通信装置２に接続する監視制御装置１まで当該設定要求を転送する。
【０１２５】
図１５に示すように、複数の監視制御装置１のそれぞれは、運用系である監視制御手段１０により互いに接続される。図１５の例では、複数の監視制御装置１において、第１の監視制御手段１０−１が運用系の場合の例を示している。
【０１２６】
本発明の第６の実施形態において、監視制御装置１に含まれる第１の監視制御手段１０−１は、所定の条件に基づいて、第２の監視制御手段１０−２に、通信装置２の制御の実行を要求する。
【０１２７】
図１６は、監視制御装置１−２に含まれる第１の監視制御手段１０−１が、第２の監視制御手段１０−２に、通信装置２の制御の実行を要求した場合における、監視制御システムの構成例を示す図である。図１６に示すように、監視制御装置１−２は、第２の監視制御手段１０−２により、上位の監視制御装置１−１、及び、下位の監視制御装置１−５及び１−６と接続する。
【０１２８】
上述した通り、監視制御装置１が階層的に接続しているので、ユーザー端末３は、上位に位置する監視制御装置１と接続することにより、複数の監視制御装置１に対して設定要求を通知することができる。また、ユーザー端末３は、上位に位置する監視制御装置１と接続することにより、監視制御システム内の複数の通信装置２から、障害の通知を受けることができる。
【０１２９】
＜第７の実施形態＞
本発明の第７の実施形態について、図面を参照して説明する。
【０１３０】
本発明の第７の実施形態は、監視制御装置１と、ユーザー端末３とが、それぞれネットワークに接続しており、それぞれの装置が当該ネットワークを介して互いに情報の送受信を行う実施形態である。ネットワークを介して情報の送受信を行うので、それぞれの装置は直接接続する必要がなく、ユーザー端末３は、離れた場所から通信装置２に対する制御を実行することや、監視制御手段１０の切り替えを実行することが可能になる。また、ユーザー端末３は、ネットワーク２００を介して、通信端末２に発生した障害の通知を受けることができるので、離れた場所で当該障害の把握することができる。
【０１３１】
図１７は、本発明の第７の実施形態における、監視制御システムの構成例を示す図である。図１７に示すように、本発明の第７の実施形態の監視制御システムは、監視制御装置１と、通信装置２と、ユーザー端末３と、ネットワーク２００とを含む。
【０１３２】
ユーザー端末３は、ネットワーク２００を介して、監視制御装置１に対して、通信装置２に対する設定要求を通知する。また、ユーザー端末３は、ネットワーク２００を介して、通信装置２に発生した障害の通知をうける。
【０１３３】
本発明の第７の実施形態において、第１の監視制御手段１０−１は、所定の条件に基づいて、第２の監視制御手段１０−２に、通信装置２の制御の実行を要求する。
【０１３４】
図１８は、第１の監視制御手段１０−１が、第２の監視制御手段１０−２に、通信装置２の制御の実行を要求した場合における、監視制御システムの構成例を示す図である。図１８に示すように、第１の監視制御手段１０−１に代わって、第２の監視制御手段１０−２が、ネットワーク２００と接続する。
【０１３５】
上述した通り、ネットワーク２００を介して情報の送受信を行うので、それぞれの装置は直接接続する必要がなく、ユーザー端末３は、離れた場所から通信装置２に対する制御を実行することや、監視制御装置１の切り替えを実行することが可能になる。また、ユーザー端末３は、ネットワーク２００を介して、通信端末２に発生した障害の通知を受けることができるので、離れた場所で当該障害の把握することができる。
【０１３６】
＜第８の実施形態＞
本発明の第８の実施形態について説明する。第８の実施形態において、監視制御装置１のコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等は、上述した各実施形態の機能を実現するソフトウェア（プログラム）を実行する。
【０１３７】
本発明の第８の実施形態において、監視制御装置１は、ＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得する。監視制御装置１が取得するプログラム、又は、該プログラムを記憶した記憶媒体は、本発明を構成することになる。なお、該ソフトウェア（プログラム）は、監視制御装置１に含まれる所定の記憶部に、予め記憶されていてもよい。
【０１３８】
監視制御装置１のコンピュータ、ＣＰＵ又はＭＰＵ等は、取得したソフトウェア（プログラム）のプログラムコードを読み出して実行する。したがって、当該監視制御装置１は、上述した各実施形態における監視制御装置１の処理と同一の処理を実行する。
【０１３９】
本発明の第８の実施形態によれば、監視制御装置１のコンピュータ、ＣＰＵ又はＭＰＵ等に実現するためのプログラムといった用途に適用できる。
【０１４０】
上記の実施形態の一部又は全部は、以下の付記のようにも記載されうるが、以下には限られない。
【０１４１】
［付記１］
通信装置を制御する第１及び第２の監視制御手段を備え、
前記第１の監視制御手段は、所定の条件に基づいて、前記第２の監視制御手段に前記通信装置の制御の実行を要求し、
前記第２の監視制御手段は、前記要求に応じて前記通信装置の制御を実行した場合に発生した障害を検知し、前記検知した障害に関する情報を前記第１の監視制御手段へ通知すること
を特徴とする監視制御装置。
【０１４２】
［付記２］
前記所定の条件は、所定の時間が経過したこと、又は、前記第２の監視制御手段への切り替えを要求されたこと、であることを特徴とする付記１に記載の監視制御装置。
【０１４３】
［付記３］
前記第１の監視制御手段は、前記第１の監視制御手段と接続するネットワークを介して前記信号を受信し、前記受信した信号に基づいて前記通信装置の制御を実行することを特徴とする付記１又は２に記載の監視制御装置。
【０１４４】
［付記４］
前記第１の監視制御手段は、前記第１又は第２の監視制御手段と、前記通信装置との間の接続を切り替える切替手段に対して、前記所定の条件に基づいて、前記通信装置と前記第２の監視制御手段とが接続するように切り替えることを要求する
を特徴とする付記１乃至３のいずれかに記載の監視制御装置。
【０１４５】
［付記５］
前記第１及び第２の監視制御手段は、複数の前記通信装置を制御し、
前記第１の監視制御手段は、前記所定の条件に基づいて、前記第２の監視制御手段に前記複数の通信装置の少なくとも１つの制御を実行させることを特徴とする付記１乃至４のいずれかに記載の監視制御装置。
【０１４６】
［付記６］
前記第１の監視制御手段は、制御に用いる信号を受信可能なインターフェースを備え、
前記第１の監視制御手段は、前記制御に用いる信号を、前記第２の監視制御手段に転送すること
を特徴とする付記１乃至５のいずれかに記載の監視制御装置。
【０１４７】
［付記７］
通信装置を制御する第１及び第２の監視制御手段を含み、
前記第１の監視制御手段は、所定の条件に基づいて、前記第２の監視制御手段に前記通信装置の制御の実行を要求し、
前記第２の監視制御手段は、前記要求に応じて前記通信装置の制御を実行した場合に発生した障害を検知し、前記検知した障害に関する情報を前記第１の監視制御手段へ通知すること
を特徴とする監視制御システム。
【０１４８】
［付記８］
前記所定の条件は、所定の時間が経過したこと、又は、前記第２の監視制御手段への切り替えを要求されたこと、であることを特徴とする付記７に記載の監視制御システム。
【０１４９】
［付記９］
前記第１の監視制御手段は、前記第１の監視制御手段と接続するネットワークを介して前記信号を受信し、前記受信した信号に基づいて前記通信装置の制御を実行することを特徴とする付記７又は８に記載の監視制御システム。
【０１５０】
［付記１０］
前記第１の監視制御手段は、前記第１又は第２の監視制御手段と、前記通信装置との間の接続を切り替える切替手段に対して、前記所定の条件に基づいて、前記通信装置と前記第２の監視制御手段とが接続するように切り替えることを要求する
を特徴とする付記７乃至９のいずれかに記載の監視制御システム。
【０１５１】
［付記１１］
前記第１及び第２の監視制御手段は、複数の前記通信装置を制御し、
前記第１の監視制御手段は、前記所定の条件に基づいて、前記第２の監視制御手段に前記複数の通信装置の少なくとも１つの制御を実行させることを特徴とする付記７乃至１０のいずれかに記載の監視制御システム。
【０１５２】
［付記１２］
前記第１の監視制御手段は、制御に用いる信号を受信可能なインターフェースを備え、
前記第１の監視制御手段は、前記制御に用いる信号を、前記第２の監視制御手段に転送すること
を特徴とする付記７乃至１１のいずれかに記載の監視制御システム。
【０１５３】
［付記１３］
通信装置の制御を実行する第１の監視制御手段において、所定の条件に基づいて、第２の監視制御手段に前記通信装置の制御の実行を要求し、
前記第２の監視制御手段において、前記通信装置の制御を実行した場合に発生した障害を検知し、前記検知した障害に関する情報を前記第１の監視制御手段へ通知すること
を特徴とする監視制御方法。
【０１５４】
［付記１４］
前記所定の条件は、所定の時間が経過したこと、又は、前記第２の監視制御手段への切り替えを要求されたこと、であることを特徴とする付記１３に記載の監視制御方法。
【０１５５】
［付記１５］
前記第１の監視制御手段において、前記第１の監視制御手段と接続するネットワークを介して前記信号を受信し、前記受信した信号に基づいて前記通信装置の制御を実行することを特徴とする付記１３又は１４に記載の監視制御方法。
【０１５６】
［付記１６］
前記第１の監視制御手段において、前記第１又は第２の監視制御手段と、前記通信装置との間の接続を切り替える切替手段に対して、前記所定の条件に基づいて、前記通信装置と前記第２の監視制御手段とが接続するように切り替えることを要求する
ことを特徴とする付記１３乃至１５のいずれかに記載の監視制御方法。
【０１５７】
［付記１７］
前記第１の監視制御手段において、複数の前記通信装置を制御し、前記所定の条件に基づいて、前記第２の監視制御手段に前記複数の通信装置の少なくとも１つの制御を実行させることを特徴とする付記１３乃至１６のいずれかに記載の監視制御方法。
【０１５８】
［付記１８］
制御に用いる信号を受信可能なインターフェースを備える前記第１の監視制御手段において、前記制御に用いる信号を、前記第２の監視制御手段に転送することを特徴とする付記１３乃至１７のいずれかに記載の監視制御方法。
【０１５９】
［付記１９］
通信装置の制御を実行する第１の監視制御手段において、所定の条件に基づいて、第２の監視制御手段に前記通信装置の制御の実行を要求する処理と、
前記第２の監視制御手段において、前記通信装置の制御を実行した場合に発生した障害を検知し、前記検知した障害に関する情報を前記第１の監視制御手段へ通知する処理と
をコンピュータに実行させることを特徴とするプログラム。
【０１６０】
［付記２０］
前記所定の条件は、所定の時間が経過したこと、又は、前記第２の監視制御手段への切り替えを要求されたこと、であることを特徴とする付記１５に記載のプログラム。
【０１６１】
［付記２１］
前記第１の監視制御手段において、前記第１の監視制御手段と接続するネットワークを介して前記信号を受信し、前記受信した信号に基づいて前記通信装置の制御を実行する処理を含むことを特徴とする付記１９又は２０に記載のプログラム。
【０１６２】
［付記２２］
前記第１の監視制御手段において、前記第１又は第２の監視制御手段と、前記通信装置との間の接続を切り替える切替手段に対して、前記所定の条件に基づいて、前記通信装置と前記第２の監視制御手段とが接続するように切り替えることを要求する処理を含むことを特徴とする付記１９乃至２１のいずれかに記載のプログラム。
【０１６３】
［付記２３］
前記第１の監視制御手段において、複数の前記通信装置を制御し、前記所定の条件に基づいて、前記第２の監視制御手段に前記複数の通信装置の少なくとも１つの制御を実行させる処理を含むことを特徴とする付記１９乃至２２のいずれかに記載のプログラム。
【０１６４】
［付記２４］
制御に用いる信号を受信可能なインターフェースを備える前記第１の監視制御手段において、前記制御に用いる信号を、前記第２の監視制御手段に転送する処理を含むことを特徴とする付記１９乃至２３のいずれかに記載のプログラム。
【符号の説明】
【０１６５】
１  監視制御装置
２  通信装置
３  ユーザー端末
４、４−１、４−２、１００、２０１、２０１−１、２０１−２  通信路
５  切替装置
６  光増幅装置
７  光分岐多重装置
８、８−１、８−２  トランスポンダ
９、９−１、９−２、９−３  スイッチ
１０、１０−１、１０−２  監視制御手段
１１  監視経路
１２  第１の入出力部
１３  第２の入出力部
１４  障害監視部
１５  制御部
２０  切替手段
２１  通信手段
３０  制御経路
５０  切替制御部
５１  切替部
６０、６０−１、６０−２  ＥＤＦＡ
７０、７０−１、７０−２  ＡＷＧ
９０、９０−１、９０−２、９０−３  記憶部
１００  通信路
２００  ネットワーク
【図１】
2015065548.tif 000003
【図２】
2015065548.tif 000004
【図３】
2015065548.tif 000005
【図４】
2015065548.tif 000006
【図５】
2015065548.tif 000007
【図６】
2015065548.tif 000008
【図７】
2015065548.tif 000009
【図８】
2015065548.tif 000010
【図９】
2015065548.tif 000011
【図１０】
2015065548.tif 000012
【図１１】
2015065548.tif 000013
【図１２】
2015065548.tif 000014
【図１３】
2015065548.tif 000015
【図１４】
2015065548.tif 000016
【図１５】
2015065548.tif 000017
【図１６】
2015065548.tif 000018
【図１７】
2015065548.tif 000019
【図１８】
2015065548.tif 000020